(57)【要約】【課題】ヒータカットモードとヒータ通水モードとの切替にかかる時間の短縮を図る。【解決手段】制御装置は、制御バルブの複数の流出口の開度のスケジュールであって、ヒータカットモードと、ヒータ通水モードと、全閉モードと、ラジエータ流出口及びバイパス流出口のうち少なくとも一方の流出口を開けた状態で空調流出口の開閉を切り替える切替モードと、を少なくとも備える開度スケジュールを備え、ヒータカットモードとヒータ通水モードとの切替を、切替モードを経由して行う（ステップＳ８、Ｓ１５）。【選択図】図４
2019173744.tif 000002
【特許請求の範囲】
【請求項１】
エンジンを冷却するために冷却水を流すための冷却流路と、
前記冷却流路の出口から排出された冷却水を前記冷却流路の入口に戻すための複数の分岐流路であって、冷却水の熱を放出するラジエータが設けられたラジエータ流路と、空調用のヒータが設けられた空調流路と、冷却水との熱交換を行うデバイスが設けられたバイパス流路と、を備える複数の分岐流路と、
前記分岐流路の分岐箇所に設けられた制御バルブと、
前記制御バルブの制御を行う制御装置と、を備え、
前記制御バルブは、前記冷却流路の出口から排出された冷却水が流入する流入口と、前記流入口へ流入した冷却水を前記複数の分岐流路へそれぞれに供給するための複数の流出口と、を備え、前記制御装置が行う制御に従って前記複数の流出口の開度を変更し、
前記制御装置は、
前記制御バルブの複数の流出口の開度のスケジュールであって、
前記空調流路へ冷却水が供給される空調流出口を閉じた状態で、前記ラジエータ流路へ冷却水が供給されるラジエータ流出口を開けるヒータカットモードと、
前記空調流出口を開けた状態で前記ラジエータ流出口を開けるヒータ通水モードと、
前記バイパス流路へ冷却水が供給されるバイパス流出口と前記ラジエータ流出口と前記空調流出口とを全て閉じる全閉モードと、
前記ラジエータ流出口及び前記バイパス流出口のうち少なくとも一方の流出口を開けた状態で、前記空調流出口の開閉を切り替える切替モードと、を少なくとも備える開度スケジュールを示す開度スケジュールデータを格納する開度スケジュールデータ格納部と、
前記ヒータカットモードと前記ヒータ通水モードとの切替を、前記切替モードを経由して行う開度制御部と、を備える、
冷却システム。
【請求項２】
前記開度制御部は、前記冷却水の水温が規定値を超過の場合に、前記ヒータカットモードと前記ヒータ通水モードとの切替を、前記全閉モードを経由しない且つ前記切替モードを経由して行う、
請求項１に記載の冷却システム。
【請求項３】
前記開度制御部は、前記冷却水の水温が規定値以下の場合に、前記ヒータカットモードと前記ヒータ通水モードとの切替を、前記全閉モードを経由して行う、
請求項２に記載の冷却システム。
【請求項４】
前記切替モードは、少なくとも前記ラジエータ流出口を開けるモードである、
請求項１から３のいずれか１項に記載の冷却システム。
【請求項５】
前記切替モードは、前記ラジエータ流出口に加えてさらに前記バイパス流出口を開けるモードである、
請求項４に記載の冷却システム。
【発明の詳細な説明】
【技術分野】
【０００１】
本発明は、冷却システムに関する。
【背景技術】
【０００２】
従来から、冷却水を用いてエンジンを冷却する冷却システムが知られている。この種の冷却システムでは、ラジエータとエンジンとの間を循環するラジエータ流路とは別に、各種熱交換器との間で冷却水を循環させる複数の熱交換流路が設けられている場合がある。このような冷却システムでは、各流路（ラジエータ流路や熱交換流路など）への分岐部に、各流路への冷却水の流通を制御する制御バルブが設けられている。この制御バルブを制御する従来技術が例えば特許文献１に開示されている。
【先行技術文献】
【特許文献】
【０００３】
【特許文献１】特開２０１６−１５６３４０号公報
【発明の概要】
【発明が解決しようとする課題】
【０００４】
しかしながら、上述した特許文献１に記載される従来技術は、ヒータカットモードからヒータ通水モードに切り替える際、冷却水の水温が規定値を超過の場合には、冷却水の沸騰を防ぐために冷却水の水温が規定値以下になるまで待ってからモードを切り替えるので、ヒータカットモードからヒータ通水モードに切り替えるのに時間がかかる。ヒータカットモードは、空調用のヒータが設けられた空調流路に冷却水を流さないモード、つまりヒータに通水させないモードである。ヒータ通水モードは、空調流路に冷却水を流してヒータに通水させるモードである。したがって、上述した特許文献１に記載される従来技術では、冷却水の水温が規定値を超過の場合、利用者が暖房を要求する操作を行っても、ヒータにより実際に暖房が始まるまでに時間がかかるので、利用者は不便である。
【０００５】
本発明は、このような事情を考慮してなされたものであり、ヒータカットモードとヒータ通水モードとの切替にかかる時間を短縮できる冷却システムを提供することを課題とする。
【課題を解決するための手段】
【０００６】
本発明の一態様は、エンジンを冷却するために冷却水を流すための冷却流路と、前記冷却流路の出口から排出された冷却水を前記冷却流路の入口に戻すための複数の分岐流路であって、冷却水の熱を放出するラジエータが設けられたラジエータ流路と、空調用のヒータが設けられた空調流路と、冷却水との熱交換を行うデバイスが設けられたバイパス流路と、を備える複数の分岐流路と、前記分岐流路の分岐箇所に設けられた制御バルブと、前記制御バルブの制御を行う制御装置と、を備え、前記制御バルブは、前記冷却流路の出口から排出された冷却水が流入する流入口と、前記流入口へ流入した冷却水を前記複数の分岐流路へそれぞれに供給するための複数の流出口と、を備え、前記制御装置が行う制御に従って前記複数の流出口の開度を変更し、前記制御装置は、前記制御バルブの複数の流出口の開度のスケジュールであって、前記空調流路へ冷却水が供給される空調流出口を閉じた状態で、前記ラジエータ流路へ冷却水が供給されるラジエータ流出口を開けるヒータカットモードと、前記空調流出口を開けた状態で前記ラジエータ流出口を開けるヒータ通水モードと、前記バイパス流路へ冷却水が供給されるバイパス流出口と前記ラジエータ流出口と前記空調流出口とを全て閉じる全閉モードと、前記ラジエータ流出口及び前記バイパス流出口のうち少なくとも一方の流出口を開けた状態で、前記空調流出口の開閉を切り替える切替モードと、を少なくとも備える開度スケジュールを示す開度スケジュールデータを格納する開度スケジュールデータ格納部と、前記ヒータカットモードと前記ヒータ通水モードとの切替を、前記切替モードを経由して行う開度制御部と、を備える、冷却システムである。
本発明の一態様は、上記の冷却システムにおいて、前記開度制御部は、前記冷却水の水温が規定値を超過の場合に、前記ヒータカットモードと前記ヒータ通水モードとの切替を、前記全閉モードを経由しない且つ前記切替モードを経由して行う、冷却システムである。
本発明の一態様は、上記の冷却システムにおいて、前記開度制御部は、前記冷却水の水温が規定値以下の場合に、前記ヒータカットモードと前記ヒータ通水モードとの切替を、前記全閉モードを経由して行う、冷却システムである。
本発明の一態様は、上記の冷却システムにおいて、前記切替モードは、少なくとも前記ラジエータ流出口を開けるモードである、冷却システムである。
本発明の一態様は、上記の冷却システムにおいて、前記切替モードは、前記ラジエータ流出口に加えてさらに前記バイパス流出口を開けるモードである、冷却システムである。
【発明の効果】
【０００７】
本発明によれば、ヒータカットモードとヒータ通水モードとの切替にかかる時間を短縮できるという効果が得られる。
【図面の簡単な説明】
【０００８】
【図１】実施形態に係る冷却システムの構成の一例を示すブロック図である。
【図２】実施形態に係る制御装置の構成の一例を示すブロック図である。
【図３】実施形態に係る開度スケジュールの一例を示す図である。
【図４】実施形態に係る制御バルブの制御方法の一例を示すフローチャートである。
【図５】実施形態に係る開度スケジュールの一例を示す図である。
【図６】実施形態に係る制御バルブの制御方法の一例を示すフローチャートである。
【図７】実施形態に係る実施形態に係る冷却システムの構成の一例を示すブロック図である。
【図８】実施形態に係る制御バルブの斜視図である。
【図９】実施形態に係る制御バルブの分解斜視図である。
【図１０】図８のＩＶ−ＩＶ線に沿う断面図である。
【図１１】実施形態に係る弁筒部の展開図である。
【発明を実施するための形態】
【０００９】
以下、図面を参照し、本発明の実施形態について説明する。
【００１０】
＜第１実施形態＞
図１、図２、図３及び図４を参照して第１実施形態を説明する。
【００１１】
［冷却システム］
図１は、冷却システム１ａのブロック図である。
図１に示すように、冷却システム１ａは、車両駆動源に少なくともエンジンを具備する車両に搭載される。なお、車両としては、エンジンのみを有する車両の他に、ハイブリッド車両やプラグインハイブリッド車両等であっても構わない。
【００１２】
冷却システム１ａは、エンジン２（ＥＮＧ）、ウォータポンプ３（Ｗ／Ｐ）、ラジエータ４（ＲＡＤ）、ヒートエクスチェンジャ５（Ｈ／ＥＸ）、ヒータコア６（ＨＴＲ）及び制御バルブ８ａ（ＥＷＶ）が各種流路１０〜１３により接続されて構成されている。
ウォータポンプ３、エンジン２及び制御バルブ８ａは、メイン流路１０上で上流から下流にかけて順に接続されている。メイン流路１０では、ウォータポンプ３の動作により冷却水がエンジン２及び制御バルブ８ａを順に通過する。
【００１３】
メイン流路１０には、ラジエータ流路１１、暖機流路１２及び空調流路１３がそれぞれ接続されている。これらラジエータ流路１１、暖機流路１２及び空調流路１３は、メイン流路１０のうちウォータポンプ３の上流部分と制御バルブ８ａとを接続している。
制御バルブ８ａは、ラジエータ流路１１、暖機流路１２及び空調流路１３の分岐箇所に設けられている。
【００１４】
ラジエータ流路１１には、ラジエータ４が接続されている。ラジエータ流路１１では、ラジエータ４において、冷却水と外気との熱交換が行われる。
暖機流路１２には、ヒートエクスチェンジャ５が接続されている。ヒートエクスチェンジャ５とエンジン２との間には、オイル流路１８を通してエンジンオイルが循環している。暖機流路１２では、ヒートエクスチェンジャ５において、冷却水とエンジンオイルとの熱交換が行われる。すなわち、ヒートエクスチェンジャ５は、水温が油温よりも高い場合にオイルウォーマとして機能し、エンジンオイルを加熱する。一方、ヒートエクスチェンジャ５は、水温が油温よりも低い場合にオイルクーラとして機能し、エンジンオイルを冷却する。
【００１５】
空調流路１３には、ヒータコア６が接続されている。ヒータコア６は、例えば空調装置のダクト（不図示）内に設けられている。空調流路１３では、ヒータコア６において、冷却水とダクト内を流通する空調空気との熱交換が行われる。
【００１６】
制御装置１０００は、制御バルブ８ａの制御を行う。制御バルブ８ａには、制御装置１０００から制御信号１１００が入力される。制御信号１１００は、制御バルブ８ａの動作を制御するための信号である。
制御バルブ８ａは、メイン流路１０の出口から排出された冷却水が流入する流入口と、当該流入口へ流入した冷却水を、ラジエータ流路１１、暖機流路１２及び空調流路１３へそれぞれに供給するための複数の流出口（ラジエータ流出口、暖機流出口及び空調流出口）と、を備える。ラジエータ流出口は、ラジエータ流路１１へ冷却水が供給される流出口である。暖機流出口は、暖機流路１２へ冷却水が供給される流出口である。空調流出口は、空調流路１３へ冷却水が供給される流出口である。
【００１７】
制御バルブ８ａは、制御装置１０００から入力された制御信号１１００に従って各流出口の開度を変更する。流出口の開度は、流出口の開口面積の上限（最大開口面積）に対する開口の度合いを表す。流出口の開度は、最大開口面積を１００％とした場合の開口面積の割合（百分率）で表してもよい。
【００１８】
制御装置１０００には、冷却水の水温を示す冷却水温信号１１１０が入力される。冷却水の水温は、メイン流路１０上であって冷却水がエンジン２を通過した場所に設けられた水温センサ（図示せず）によって計測される。冷却水温信号１１１０は、当該水温センサが計測した冷却水の水温を示す。
【００１９】
制御装置１０００には、エンジン２のエンジン運転状態を示すエンジン運転状態信号１１２０が入力される。エンジン運転状態信号１１２０としては、エンジン２の回転速度を示す信号、エンジン２の負荷を示す信号、エンジン２のスロットル開度を示す信号及びエンジン２の吸気温度を示す信号がある。
【００２０】
図１に示される冷却システム１ａでは、メイン流路１０においてエンジン２を通過した冷却水が、制御バルブ８ａ内に流入した後、制御バルブ８ａの動作によって各種流路１１〜１３に選択的に分配される。これにより、早期昇温や高水温（最適温）制御等を実現でき、車両の燃費向上が図られている。
なお、図１に示される冷却システム１ａでは、メイン流路１０は冷却流路に対応し、暖機流路１２はバイパス流路に対応し、ヒートエクスチェンジャ５は冷却水との熱交換を行うデバイスに対応し、暖機流出口はバイパス流出口に対応する。
【００２１】
［制御装置］
図２は、制御装置１０００のブロック図である。
図２に示される制御装置１０００は、開度スケジュールデータ格納部１００１と、開度制御部１００２と、規定値設定部１００３と、を備える。
【００２２】
開度スケジュールデータ格納部１００１は、開度スケジュールを示す開度スケジュールデータを格納する。開度スケジュールは、制御バルブ８ａのラジエータ流出口、暖機流出口及び空調流出口の開度のスケジュールである。開度スケジュールは、制御バルブ８ａのラジエータ流出口、暖機流出口及び空調流出口の開度を定めたモードとして、少なくとも、ヒータカットモードとヒータ通水モードと全閉モードと切替モードとを備える。
【００２３】
ヒータカットモードは、空調流出口を閉じた状態でラジエータ流出口を開けるモードである。ヒータ通水モードは、空調流出口を開けた状態でラジエータ流出口を開けるモードである。全閉モードは、暖機流出口とラジエータ流出口と空調流出口とを全て閉じるモードである。切替モードは、少なくともラジエータ流出口を開けた状態で、空調流出口の開閉を切り替えるモードである。
【００２４】
図３を参照して開度スケジュールの一例を説明する。図３は、開度スケジュールの一例を示す図である。
図３の横軸は制御バルブ８ａの動作範囲を示す。図３の縦軸は、各流出口の開度（０％から１００％まで）を示す。図３（ａ）には、暖機流出口の開度が示されている。図３（ｂ）には、空調流出口の開度が示されている。図３（ｃ）には、ラジエータ流出口の開度が示されている。
【００２５】
制御バルブ８ａの動作範囲は、９個の領域Ａ，Ｂ，Ｃ，Ｄ，Ｅ，Ｆ，Ｇ，Ｈ，Ｉに区分されている。図３中の隣り合う領域間では、相互に領域を移行できる。また、領域Ａと領域Ｆ間では、相互に領域を移行できる。
【００２６】
全閉モードは領域Ａのみで構成される。領域Ａでは、暖機流出口と空調流出口とラジエータ流出口との全ての開度が０％になる。
ヒータ通水モードは、４個の領域Ｂ，Ｃ，Ｄ，Ｅから構成される。領域Ｂでは、暖機流出口とラジエータ流出口の開度が０％のままで、空調流出口の開度が０％から１００％までの範囲で変化する。領域Ｃでは、ラジエータ流出口の開度が０％且つ空調流出口の開度が１００％のままで、暖機流出口の開度が０％から１００％までの範囲で変化する。領域Ｄでは、空調流出口の開度が１００％のままで、暖機流出口の開度が０％から１００％までの範囲で変化し、ラジエータ流出口の開度が０％から約８０％までの範囲で変化する。領域Ｅでは、空調流出口の開度が１００％のままで、暖機流出口の開度が０％から１００％までの範囲で変化し、ラジエータ流出口の開度が約８０％から１００％までの範囲で変化する。
【００２７】
切替モードは、領域Ｉのみで構成される。領域Ｉでは、暖機流出口とラジエータ流出口の開度が１００％のままで、空調流出口の開度が０％から１００％までの範囲で変化する。
【００２８】
ヒータカットモードは、３個の領域Ｈ，Ｇ，Ｆから構成される。領域Ｈでは、空調流出口の開度が０％のままで、暖機流出口の開度が０％から１００％までの範囲で変化し、ラジエータ流出口の開度が約８０％から１００％までの範囲で変化する。領域Ｇでは、空調流出口の開度が０％のままで、暖機流出口の開度が０％から１００％までの範囲で変化し、ラジエータ流出口の開度が０％から約８０％までの範囲で変化する。領域Ｆでは、空調流出口とラジエータ流出口の開度が０％のままで、暖機流出口の開度が０％から１００％までの範囲で変化する。
【００２９】
説明を図２に戻す。
開度制御部１００２は、開度スケジュールデータ格納部１００１に格納されている開度スケジュールデータが示す開度スケジュールを使用して、制御バルブ８ａのラジエータ流出口、暖機流出口及び空調流出口の開度を制御する。開度制御部１００２は、制御バルブ８ａのラジエータ流出口、暖機流出口及び空調流出口の開度を指示する制御信号１１００を生成する。当該制御信号１１００が制御装置１０００から制御バルブ８ａに入力されることによって、制御バルブ８ａのラジエータ流出口、暖機流出口及び空調流出口の開度が制御される。
【００３０】
開度制御部１００２は、冷却水の水温（冷却水温）の規定値と、冷却水温信号１１１０が示す冷却水温とに基づいて、ヒータカットモードとヒータ通水モードとの切替を、全閉モードを経由して行うか又は切替モードを経由して行うかを判断する。
【００３１】
規定値設定部１００３は、冷却水温の規定値を設定する。冷却水温の規定値は、任意に設定できるようにしてもよく、又は、固定的に設定されるようにしてもよい。本実施形態の一例として、規定値設定部１００３は、冷却水温の規定値の候補として複数個の候補値を保持する。冷却水温の規定値の候補値として、例えば、８５℃、９０℃及び９５℃の３個の候補値を使用する。各候補値には、当該候補値を適用するエンジン運転状態を定めておく。規定値設定部１００３は、各候補値が適用されるエンジン運転状態を示すデータを保持する。規定値設定部１００３は、エンジン運転状態信号１１２０が示すエンジン運転状態に対応する候補値を冷却水温の規定値の設定値として保持する。規定値設定部１００３は、エンジン運転状態信号１１２０が示すエンジン運転状態の変化に応じて、冷却水温の規定値に設定する候補値を変更する。
【００３２】
制御装置１０００は、専用のハードウェアにより実現されるものであってもよく、又は、ＥＣＵ（Engine Control Unit：エンジンコントロールユニット）及びメモリ等により構成され、図２の各部の機能を実現するためのコンピュータプログラムをＥＣＵが実行することによりその機能を実現させるものであってもよい。
【００３３】
［制御バルブの制御方法］
図４を参照して制御バルブの制御方法を説明する。図４は、制御バルブの制御方法の一例を示すフローチャートである。ここでは、開度スケジュールとして、図３に示される開度スケジュールを例にして制御バルブの制御方法を説明する。
【００３４】
（ステップＳ１）  制御装置１０００は暖房要求の有無を判断する。暖房要求の有無を示す信号は、冷却システム１ａが搭載された車両の操作部（図示せず）から制御装置１０００に入力される。暖房要求がある場合にはステップＳ２に進み、そうではない場合にはステップＳ９に進む。
【００３５】
（ステップＳ２）  開度制御部１００２は、ヒータ通水モードを選択する。
【００３６】
（ステップＳ３）  開度制御部１００２は、図３に示される開度スケジュールの５個の領域Ａ，Ｂ，Ｃ，Ｄ，Ｅの範囲内で制御バルブ８ａのラジエータ流出口、暖機流出口及び空調流出口の開度を変更し、冷却水温を所定の範囲内に収める制御を行う。なお、図４の例では、ヒータ通水モードを選択した場合、ヒータ通水モードと全閉モードを使用している。
【００３７】
（ステップＳ４）  制御装置１０００は暖房要求の有無を判断する。暖房要求がある場合にはステップＳ３に戻り、そうではない場合にはステップＳ５に進む。
【００３８】
（ステップＳ５）  規定値設定部１００３は、エンジン運転状態信号１１２０が示すエンジン運転状態に対応する冷却水温の規定値を設定する。
【００３９】
（ステップＳ６）  開度制御部１００２は、冷却水温の規定値と、冷却水温信号１１１０が示す冷却水温とを比較する。この比較の結果、冷却水温信号１１１０が示す冷却水温が規定値以下である場合にはステップＳ７に進み、そうではない場合にはステップＳ８に進む。
【００４０】
（ステップＳ７）  開度制御部１００２は、ヒータ通水モードの領域Ｂから全閉モードの領域Ａを経由してヒータカットモードの領域Ｆへの移行を行う。したがって、ヒータ通水モードからヒータカットモードへ移行する途中で、一旦、暖機流出口とラジエータ流出口と空調流出口とが全て閉じられる。このように、冷却水温信号１１１０が示す冷却水温が規定値以下である場合には、冷却水をラジエータ４に通水しないことにより、冷却水の温度低下を回避してエンジン２の燃費の低下を防止する効果が得られる。
【００４１】
（ステップＳ８）  開度制御部１００２は、ヒータ通水モードの領域Ｅから切替モードの領域Ｉを経由してヒータカットモードの領域Ｈへの移行を行う。したがって、ヒータ通水モードからヒータカットモードへ移行する途中で、暖機流出口とラジエータ流出口の開度が１００％のままで、空調流出口の開度が１００％から０％へ変更される。このように、冷却水温信号１１１０が示す冷却水温が規定値を超過である場合には、冷却水をラジエータ４に通水することにより冷却水の沸騰を防ぎながら、迅速に、ヒータ通水モードからヒータカットモードへ移行することができる。
【００４２】
（ステップＳ９）  開度制御部１００２は、ヒータカットモードを選択する。
【００４３】
（ステップＳ１０）  開度制御部１００２は、図３に示される開度スケジュールの４個の領域Ａ，Ｆ，Ｇ，Ｈの範囲内で制御バルブ８ａのラジエータ流出口、暖機流出口及び空調流出口の開度を変更し、冷却水温を所定の範囲内に収める制御を行う。なお、図４の例では、ヒータカットモードを選択した場合、ヒータカットモードと全閉モードを使用している。
【００４４】
（ステップＳ１１）  制御装置１０００は暖房要求の有無を判断する。暖房要求がある場合にはステップＳ１２に進み、そうではない場合にはステップＳ１０に戻る。
【００４５】
（ステップＳ１２）  規定値設定部１００３は、エンジン運転状態信号１１２０が示すエンジン運転状態に対応する冷却水温の規定値を設定する。
【００４６】
（ステップＳ１３）  開度制御部１００２は、冷却水温の規定値と、冷却水温信号１１１０が示す冷却水温とを比較する。この比較の結果、冷却水温信号１１１０が示す冷却水温が規定値以下である場合にはステップＳ１４に進み、そうではない場合にはステップＳ１５に進む。
【００４７】
（ステップＳ１４）  開度制御部１００２は、ヒータカットモードの領域Ｆから全閉モードの領域Ａを経由してヒータ通水モードの領域Ｂへの移行を行う。したがって、ヒータカットモードからヒータ通水モードへ移行する途中で、一旦、暖機流出口とラジエータ流出口と空調流出口とが全て閉じられる。このように、冷却水温信号１１１０が示す冷却水温が規定値以下である場合には、冷却水をラジエータ４に通水しないことにより、冷却水の温度低下を回避してエンジン２の燃費の低下を防止する効果が得られる。
【００４８】
（ステップＳ１５）  開度制御部１００２は、ヒータカットモードの領域Ｈから切替モードの領域Ｉを経由してヒータ通水モードの領域Ｅへの移行を行う。したがって、ヒータカットモードからヒータ通水モードへ移行する途中で、暖機流出口とラジエータ流出口の開度が１００％のままで、空調流出口の開度が０％から１００％へ変更される。このように、冷却水温信号１１１０が示す冷却水温が規定値を超過である場合には、冷却水をラジエータ４に通水することにより冷却水の沸騰を防ぎながら、迅速に、ヒータカットモードからヒータ通水モードへ移行することができる。これにより、冷却水温が規定値を超過の場合に利用者が暖房を要求する操作を行っても、迅速に、ヒータにより暖房を開始することができるので、利用者の便宜の向上に貢献できる。
【００４９】
上述したように本実施形態によれば、冷却水温が規定値を超過の場合に、ヒータカットモードとヒータ通水モードとの切替を、全閉モードを経由しない且つ切替モードを経由して行うので、冷却水をラジエータ４に通水することにより冷却水の沸騰を防ぎながら、迅速に、ヒータカットモードとヒータ通水モードとの切替を行うことができる。これにより、ヒータカットモードとヒータ通水モードとの切替にかかる時間を短縮する効果が得られる。
【００５０】
なお、上述した図３に示される開度スケジュールの例では、切替モードの領域Ｉにおいて、暖機流出口とラジエータ流出口の開度が１００％であるが、切替モードにおいて、暖機流出口とラジエータ流出口は開いていればよく、暖機流出口とラジエータ流出口の開度は１００％未満であってもよい。但し、冷却水の沸騰を防ぐ目的のために、切替モードにおいて、ラジエータ流出口の開度は大きいことが好ましい。
【００５１】
また、上述した図３に示される開度スケジュールの例では、切替モードはラジエータ流出口及び暖機流出口の両方を開けた状態で空調流出口の開閉を切り替えるモードであるが、切替モードは、少なくともラジエータ流出口を開けた状態で空調流出口の開閉を切り替えるモードであってもよい。したがって、切替モードにおいて、暖機流出口は閉じた状態であってもよい。
【００５２】
また、図１に示される冷却システム１ａでは、バイパス流路として、ヒートエクスチェンジャ５が設けられた暖機流路１２を備えたが、バイパス流路において冷却水との熱交換を行うデバイスは、ヒートエクスチェンジャ５に限定されない。バイパス流路において冷却水との熱交換を行うデバイスは、例えば、冷却水とＥＧＲガスとの熱交換を行うＥＧＲクーラを含むものであってもよい。
【００５３】
また、複数のバイパス流路が設けられてもよい。複数のバイパス流路として、例えば、ヒートエクスチェンジャ５が設けられた暖機流路１２と、ＥＧＲクーラが設けられたＥＧＲ流路とが設けられてもよい。
【００５４】
＜第２実施形態＞
図５及び図６を参照して第２実施形態を説明する。
第２実施形態は、開度スケジュール及び制御バルブの制御方法の他の例である。ここでは、第２実施形態に係る冷却システムとして、上述した第１実施形態に係る図１に示される冷却システム１ａを例に挙げて以下説明する。
【００５５】
まず図５を参照して第２実施形態に係る開度スケジュールの一例を説明する。図５は、開度スケジュールの一例を示す図である。
図５の横軸は制御バルブ８ａの動作範囲を示す。図５の縦軸は、各流出口の開度（０％から１００％まで）を示す。図５（ａ）には、暖機流出口の開度が示されている。図５（ｂ）には、空調流出口の開度が示されている。図５（ｃ）には、ラジエータ流出口の開度が示されている。
【００５６】
制御バルブ８ａの動作範囲は、９個の領域Ａ，Ｂ，Ｃ，Ｄ，Ｅ，Ｆ，Ｇ，Ｈ，Ｉに区分されている。図５中の隣り合う領域間では、相互に領域を移行できる。なお、領域Ａと領域Ｉ間では、領域を移行できてもよく、又は、領域を移行できなくてもよい。
【００５７】
全閉モードは領域Ａのみで構成される。領域Ａでは、暖機流出口と空調流出口とラジエータ流出口との全ての開度が０％になる。
【００５８】
ヒータカットモードは、３個の領域Ｂ，Ｃ，Ｄから構成される。領域Ｂでは、空調流出口とラジエータ流出口の開度が０％のままで、暖機流出口の開度が０％から１００％までの範囲で変化する。領域Ｃでは、空調流出口の開度が０％のままで、暖機流出口の開度が０％から１００％までの範囲で変化し、ラジエータ流出口の開度が０％から約８０％までの範囲で変化する。領域Ｄでは、空調流出口の開度が０％のままで、暖機流出口の開度が０％から１００％までの範囲で変化し、ラジエータ流出口の開度が約８０％から１００％までの範囲で変化する。
【００５９】
切替モードは、領域Ｅのみで構成される。領域Ｅでは、暖機流出口とラジエータ流出口の開度が１００％のままで、空調流出口の開度が０％から１００％までの範囲で変化する。
【００６０】
ヒータ通水モードは、４個の領域Ｆ，Ｇ，Ｈ，Ｉから構成される。領域Ｆでは、空調流出口の開度が１００％のままで、暖機流出口の開度が０％から１００％までの範囲で変化し、ラジエータ流出口の開度が約８０％から１００％までの範囲で変化する。領域Ｇでは、空調流出口の開度が１００％のままで、暖機流出口の開度が０％から１００％までの範囲で変化し、ラジエータ流出口の開度が０％から約８０％までの範囲で変化する。領域Ｈでは、ラジエータ流出口の開度が０％且つ空調流出口の開度が１００％のままで、暖機流出口の開度が０％から１００％までの範囲で変化する。領域Ｉでは、暖機流出口とラジエータ流出口の開度が０％のままで、空調流出口の開度が０％から１００％までの範囲で変化する。
【００６１】
［制御バルブの制御方法］
図６を参照して第２実施形態に係る制御バルブの制御方法を説明する。図６は、制御バルブの制御方法の一例を示すフローチャートである。ここでは、開度スケジュールとして、図５に示される開度スケジュールを例にして制御バルブの制御方法を説明する。
【００６２】
（ステップＳ１０１）  制御装置１０００は暖房要求の有無を判断する。暖房要求の有無を示す信号は、冷却システム１ａが搭載された車両の操作部（図示せず）から制御装置１０００に入力される。暖房要求がある場合にはステップＳ１０２に進み、そうではない場合にはステップＳ１０６に進む。
【００６３】
（ステップＳ１０２）  開度制御部１００２は、ヒータ通水モードを選択する。
【００６４】
（ステップＳ１０３）  開度制御部１００２は、図５に示される開度スケジュールの４個の領域Ｆ，Ｇ，Ｈ，Ｉの範囲内で制御バルブ８ａのラジエータ流出口、暖機流出口及び空調流出口の開度を変更し、冷却水温を所定の範囲内に収める制御を行う。
【００６５】
（ステップＳ１０４）  制御装置１０００は暖房要求の有無を判断する。暖房要求がある場合にはステップＳ１０３に戻り、そうではない場合にはステップＳ１０５に進む。
【００６６】
（ステップＳ１０５）  開度制御部１００２は、図５に示されるヒータ通水モードの領域Ｆから切替モードの領域Ｅを経由してヒータカットモードの領域Ｄへの移行を行う。したがって、第２実施形態では、暖房要求ありから暖房要求なしに変わると、冷却水温にかかわらずモードを切り替えるので、迅速にヒータ通水モードからヒータカットモードへ切り替えることができる。また、切替モードの領域Ｅを経由することにより、ヒータ通水モードからヒータカットモードへ移行する途中で、暖機流出口とラジエータ流出口の開度が１００％のままで、空調流出口の開度が１００％から０％へ変更される。これにより、冷却水をラジエータ４に通水することで冷却水の沸騰を防ぐ効果も得られる。
【００６７】
（ステップＳ１０６）  開度制御部１００２は、ヒータカットモードを選択する。
【００６８】
（ステップＳ１０７）  開度制御部１００２は、図５に示される開度スケジュールの４個の領域Ａ，Ｂ，Ｃ，Ｄの範囲内で制御バルブ８ａのラジエータ流出口、暖機流出口及び空調流出口の開度を変更し、冷却水温を所定の範囲内に収める制御を行う。なお、図６の例では、ヒータカットモードを選択した場合、ヒータカットモードと全閉モードを使用している。
【００６９】
（ステップＳ１０８）  制御装置１０００は暖房要求の有無を判断する。暖房要求がある場合にはステップＳ１０９に進み、そうではない場合にはステップＳ１０７に戻る。
【００７０】
（ステップＳ１０９）  開度制御部１００２は、図５に示されるヒータカットモードの領域Ｄから切替モードの領域Ｅを経由してヒータ通水モードの領域Ｆへの移行を行う。したがって、第２実施形態では、暖房要求なしから暖房要求ありに変わると、冷却水温にかかわらずモードを切り替えるので、迅速にヒータカットモードからヒータ通水モードへ切り替えることができる。これにより、利用者が暖房を要求する操作を行うと、迅速に、ヒータにより暖房を開始することができるので、利用者の便宜の向上に貢献できる。また、切替モードの領域Ｅを経由することにより、ヒータカットモードからヒータ通水モードへ移行する途中で、暖機流出口とラジエータ流出口の開度が１００％のままで、空調流出口の開度が０％から１００％へ変更される。これにより、冷却水をラジエータ４に通水することで冷却水の沸騰を防ぐ効果も得られる。
【００７１】
上述したように第２実施形態によれば、冷却水温にかかわらず、ヒータカットモードとヒータ通水モードとの切替を、切替モードを経由して行う。これにより、迅速にヒータカットモードとヒータ通水モードとの切替を行うことができるので、ヒータカットモードとヒータ通水モードとの切替にかかる時間を短縮する効果が得られる。また、冷却水をラジエータ４に通水することで冷却水の沸騰を防ぐ効果も得られる。
【００７２】
また、図５に示される開度スケジュールにおいては、全閉モードの領域Ａの隣にヒータカットモードの領域Ｂ，Ｃ，Ｄが配置されている。このため、例えばエンジン２の始動直後に全閉モードで暖機運転を行った後に、切替モードを経由せず、直接に全閉モードからヒータカットモードへ移行できる。これにより、全閉モードからヒータカットモードへ移行する途中で、冷却水がラジエータ４に通水されることがないので、暖機運転の効率の向上に寄与できる。
【００７３】
＜第３実施形態＞
図７から図１１を参照して第３実施形態を説明する。
【００７４】
［冷却システム］
図７は、冷却システム１のブロック図である。図７において図１の各部に対応する部分には同一の符号を付け、その説明を省略する。
図７に示すように、冷却システム１は、図１に示される冷却システム１ａと同様に、車両駆動源に少なくともエンジンを具備する車両に搭載される。なお、車両としては、エンジンのみを有する車両の他に、ハイブリッド車両やプラグインハイブリッド車両等であっても構わない。
【００７５】
図７に示される冷却システム１は、図１に示される冷却システム１ａにおいて、さらにＥＧＲクーラ７（ＥＧＲ）がＥＧＲ流路１４により接続されて構成されている。メイン流路１０には、ラジエータ流路１１、暖機流路１２、空調流路１３及びＥＧＲ流路１４がそれぞれ接続されている。これらラジエータ流路１１、暖機流路１２、空調流路１３及びＥＧＲ流路１４は、メイン流路１０のうちウォータポンプ３の上流部分と制御バルブ８とを接続している。
【００７６】
ＥＧＲ流路１４には、ＥＧＲクーラ７が接続されている。ＥＧＲ流路１４では、ＥＧＲクーラ７において、冷却水とＥＧＲガスとの熱交換が行われる。
【００７７】
制御装置１０００は、図１に示される冷却システム１ａと同様に、制御バルブ８の制御を行う。制御バルブ８には、制御装置１０００から制御信号１１００が入力される。
制御バルブ８は、図１に示される制御バルブ８ａと同様に、メイン流路１０の出口から排出された冷却水が流入する流入口と、当該流入口へ流入した冷却水を、ラジエータ流路１１、暖機流路１２及び空調流路１３へそれぞれに供給するための複数の流出口（ラジエータ流出口、暖機流出口及び空調流出口）と、を備える。制御バルブ８は、さらに、当該流入口へ流入した冷却水のうち、一部の冷却水をＥＧＲ流路１４へ供給するためのＥＧＲ流出口を備える。
【００７８】
ラジエータ流出口、暖機流出口及び空調流出口の各開度は、図１に示される制御バルブ８ａと同様に、変更可能である。一方、ＥＧＲ流出口の開度は、一定の開度に固定されている。
制御バルブ８は、制御装置１０００から入力された制御信号１１００に従ってラジエータ流出口、暖機流出口及び空調流出口の各開度を変更する。
【００７９】
図７に示される冷却システム１では、メイン流路１０においてエンジン２を通過した冷却水が、制御バルブ８内に流入した後、制御バルブ８の動作によって各種流路１１〜１４に選択的に分配される。これにより、早期昇温や高水温（最適温）制御等を実現でき、車両の燃費向上が図られている。
なお、図７に示される冷却システム１においても、図１に示される冷却システム１ａと同様に、メイン流路１０は冷却流路に対応し、暖機流路１２はバイパス流路に対応し、ヒートエクスチェンジャ５は冷却水との熱交換を行うデバイスに対応し、暖機流出口はバイパス流出口に対応する。
【００８０】
制御装置１０００の構成及び動作、開度スケジュール並びに制御バルブの制御方法は、上記の図２、図３及び図４を参照して説明した第１実施形態を適用できる。以下の説明では、適宜、さらに図２、図３及び図４を参照して説明を行う。
【００８１】
［制御バルブ］
図８から図１１を参照して第３実施形態に係る制御バルブ８の一例を説明する。
【００８２】
図８は、制御バルブ８の斜視図である。図９は、制御バルブ８の分解斜視図である。
図８、図９に示すように、制御バルブ８は、ケーシング２１と、ロータ２２（図９参照）と、駆動ユニット２３と、を主に備えている。
【００８３】
（ケーシング）
ケーシング２１は、有底筒状のケーシング本体２５と、ケーシング本体２５の開口部を閉塞する蓋体２６と、を有している。なお、以下の説明では、ケーシング２１の軸線Ｏ１に沿う方向を単にケース軸方向という。ケース軸方向において、ケーシング本体２５の周壁部３１に対してケーシング本体２５の底壁部３２に向かう方向を第１側といい、ケーシング本体２５の周壁部３１に対して蓋体２６に向かう方向を第２側という。さらに、軸線Ｏ１に直交する方向をケース径方向といい、軸線Ｏ１回りの方向をケース周方向という。
【００８４】
ケーシング本体２５の周壁部３１には、複数の取付片３３が形成されている。各取付片３３は、周壁部３１からケース径方向の外側に突設されている。制御バルブ８は、例えば各取付片３３を介してエンジンルーム内に固定される。なお、各取付片３３の位置や数等は、適宜変更が可能である。
【００８５】
図１０は、図８のＩＶ−ＩＶ線に沿う断面図である。
図９、図１０に示すように、周壁部３１における第２側に位置する部分には、ケース径方向の外側に膨出する流入ポート３７が形成されている。流入ポート３７には、流入ポート３７をケース径方向に貫通する流入口３７ａ（図１０参照）が形成されている。流入口３７ａは、ケーシング２１内外を連通している。流入ポート３７の開口端面（ケース径方向の外側端面）には、上述したメイン流路１０（図７参照）が接続される。
【００８６】
図１０に示すように、周壁部３１において、軸線Ｏ１を間に挟んで流入ポート３７にケース径方向で対向する位置には、ケース径方向の外側に膨出するラジエータポート４１が形成されている。ラジエータポート４１には、フェール開口４１ａ及びラジエータ流出口（第２流出口）４１ｂがケース軸方向に並んで形成されている。フェール開口４１ａ及びラジエータ流出口４１ｂは、ラジエータポート４１をそれぞれケース径方向に貫通している。本実施形態において、フェール開口４１ａは、上述した流入口３７ａにケース径方向で対向している。また、ラジエータ流出口４１ｂは、フェール開口４１ａに対してケース軸方向の第１側に位置している。
【００８７】
ラジエータポート４１の開口端面（ケース径方向の外側端面）には、ラジエータジョイント４２が接続されている。ラジエータジョイント４２は、ラジエータポート４１とラジエータ流路１１（図７参照）の上流端部との間を接続している。なお、ラジエータジョイント４２は、ラジエータポート４１の開口端面に溶着（例えば、振動溶着等）されている。
【００８８】
フェール開口４１ａには、サーモスタット４５が設けられている。すなわち、サーモスタット４５は、上述した流入口３７ａにケース径方向で対向している。サーモスタット４５は、ケーシング２１内を流れる冷却水の温度に応じてフェール開口４１ａを開閉する。なお、ラジエータポート４１は、少なくともラジエータ流出口４１ｂを有していればよい。
【００８９】
蓋体２６のうち、軸線Ｏ１に対してケース径方向でラジエータポート４１寄りに位置する部分には、ＥＧＲ流出口５１が形成されている。ＥＧＲ流出口５１は、蓋体２６をケース軸方向に貫通している。
【００９０】
蓋体２６において、ＥＧＲ流出口５１の開口縁には、ＥＧＲジョイント５２が形成されている。ＥＧＲジョイント５２は、ＥＧＲ流出口５１と上述したＥＧＲ流路１４（図７参照）の上流端部との間を接続している。本実施形態において、ＥＧＲジョイント５２は、蓋体２６に一体に形成されている。但し、ＥＧＲジョイント５２は、蓋体２６と別に形成されていてもよい。また、ＥＧＲ流出口５１やＥＧＲジョイント５２は、周壁部３１等に設けても構わない。
【００９１】
図９に示すように、周壁部３１において、ラジエータポート４１よりもケース軸方向の第１側に位置する部分には、ケース径方向の外側に膨出する暖機ポート５６が形成されている。暖機ポート５６には、暖機ポート５６をケース径方向に貫通する暖機流出口（第３流出口）５６ａが形成されている。暖機ポート５６の開口端面には、暖機ジョイント６２が接続されている。暖機ジョイント６２は、暖機ポート５６と上述した暖機流路１２（図７参照）の上流端部とを接続している。なお、暖機ジョイント６２は、暖機ポート５６の開口端面に溶着（例えば、振動溶着等）されている。
【００９２】
図８に示すように、周壁部３１のうち、ケース軸方向におけるラジエータポート４１と暖機ポート５６との間であって、かつ暖機ポート５６に対してケース周方向で１８０°程度ずれた位置には、空調ポート６６が形成されている。空調ポート６６には、空調ポート６６をケース径方向に貫通する空調流出口（第１流出口）６６ａが形成されている。空調ポート６６の開口端面には、空調ジョイント６８が接続されている。空調ジョイント６８は、空調ポート６６と上述した空調流路１３（図７参照）の上流端部とを接続している。なお、空調ジョイント６８は、空調ポート６６の開口端面に溶着（例えば、振動溶着等）されている。
【００９３】
（駆動ユニット）
図８に示すように、駆動ユニット２３は、ケーシング本体２５の底壁部３２に取り付けられている。駆動ユニット２３は、図示しないモータや減速機構、制御基板等が収納されて構成されている。駆動ユニット２３に搭載されたモータは、ホールＩＣ等の回転センサによって回転量を検出可能とされている。
【００９４】
（ロータ）
図９、図１０に示すように、ロータ（弁）２２は、ケーシング２１内に収容されている。ロータ２２は、ケーシング２１の軸線Ｏ１と同軸に配置された円筒状に形成されている。ロータ２２は、軸線Ｏ１回りに回転することで、上述した各流出口（ラジエータ流出口４１ｂ、暖機流出口５６ａ及び空調流出口６６ａ）を開閉する。
【００９５】
図１０に示すように、ロータ２２は、ロータ本体７２の内側に内側軸部７３がインサート成形されて構成されている。
内側軸部７３は、ロータ本体７２（例えば、樹脂材料）よりも剛性が高い材料（例えば、金属材料）により形成されている。内側軸部７３は、軸線Ｏ１と同軸で延在している。なお、ロータ２２は、例えば樹脂材料等により一体で形成しても構わない。
【００９６】
内側軸部７３の第１側端部は、底壁部３２に形成された貫通孔３２ａを通して底壁部３２をケース軸方向に貫通している。内側軸部７３の第１側端部は、上述した底壁部３２に設けられた第１ブッシュ７８に回転可能に支持されている。底壁部３２において、第１ブッシュ７８に対してケース軸方向の第２側に位置する部分には、第１リップシール８７が設けられている。
【００９７】
内側軸部７３のうち、第１ブッシュ７８よりもケース軸方向の第１側に位置する部分（底壁部３２よりも外側に位置する部分）には、連結部７３ａが形成されている。連結部７３ａは、内側軸部７３における連結部７３ａ以外の部分よりも小径に形成されるとともに、外周面にスプラインが形成されている。連結部７３ａは、ケーシング２１の外部において、上述した駆動ユニット２３に連結されている。これにより、駆動ユニット２３の動力が内側軸部７３に伝達される。
【００９８】
内側軸部７３の第２側端部は、上述した蓋体２６に設けられた第２ブッシュ８４に回転可能に支持されている。蓋体２６において、第２ブッシュ８４に対してケース軸方向の第１側に位置する部分には、第２リップシール８８が設けられている。
【００９９】
ロータ本体７２は、上述した内側軸部７３の周囲を取り囲んでいる。ロータ本体７２は、内側軸部７３を覆う外側軸部８１と、外側軸部８１を囲繞する弁筒部８２と、外側軸部８１及び弁筒部８２同士を連結するスポーク部８３と、を主に有している。
【０１００】
外側軸部８１は、内側軸部７３におけるケース軸方向の両端部を露出させた状態で、内側軸部７３の周囲を全周に亘って取り囲んでいる。本実施形態では、外側軸部８１及び内側軸部７３によってロータ２２の回転軸８５を構成している。
【０１０１】
弁筒部８２は、軸線Ｏ１と同軸に配置されている。弁筒部８２は、ケーシング２１内において、流入口３７ａよりもケース軸方向の第１側に位置する部分に配置されている。具体的に、弁筒部８２は、ケース軸方向において、フェール開口４１ａを回避し、かつラジエータ流出口４１ｂ、暖機流出口５６ａ及び空調流出口６６ａに跨る位置に配置されている。弁筒部８２の内側は、流入口３７ａを通してケーシング２１内に流入した冷却水がケース軸方向に流通する流通路９１を構成している。一方、ケーシング２１内において、弁筒部８２よりもケース軸方向の第２側に位置する部分は、流通路９１に連通する接続流路９２を構成している。
【０１０２】
弁筒部８２において、上述したラジエータ流出口４１ｂとケース軸方向の同位置には、弁筒部８２をケース径方向に貫通するラジエータ連通口（第２連通口）９５が形成されている。ラジエータ連通口９５は、ケース径方向から見てラジエータ流出口４１ｂと少なくとも一部が重なり合う場合に、ラジエータ連通口９５を通じてラジエータ流出口４１ｂと流通路９１内とを連通させる。
【０１０３】
弁筒部８２において、上述した暖機流出口５６ａとケース軸方向の同位置には、弁筒部８２をケース径方向に貫通する暖機連通口（第３連通口）９６が形成されている。暖機連通口９６は、ケース径方向から見て暖機流出口５６ａと少なくとも一部が重なり合う場合に、暖機連通口９６を通じて暖機流出口５６ａと流通路９１内とを連通させる。
【０１０４】
弁筒部８２において、上述した空調流出口６６ａとケース軸方向の同位置には、弁筒部８２をケース径方向に貫通する空調連通口（第１連通口）９７が形成されている。空調連通口９７は、ケース径方向から見て空調流出口６６ａと少なくとも一部が重なり合う場合に、空調連通口９７を通じて空調流出口６６ａと流通路９１内とを連通させる。
【０１０５】
図１１は、弁筒部８２の展開図である。
図１１に示すように、ラジエータ連通口９５は、ケース周方向を長軸方向とする長円形状とされている。
暖機連通口９６は、例えば丸孔に形成されている。暖機連通口９６は、ケース周方向に間隔をあけて複数形成されている。図示の例において、暖機連通口９６は、大径孔がケース周方向に２つ並び、大径孔よりも小さい小径孔がケース周方向に２つ並んでいる。
空調連通口９７は、ケース周方向を長軸方向とする長円形状に形成されている。
【０１０６】
図９に示すように、上述したラジエータポート４１（ラジエータ流出口４１ｂ）内には、シール機構１００が設けられている。シール機構１００は、摺動リング１０１と、付勢部材１０２と、シールリング１０３と、ホルダ１０４と、を有している。
図１０に示すように、摺動リング１０１は、ラジエータ流出口４１ｂ内に挿入されている。ケース径方向において、摺動リング１０１の内側端面は、弁筒部８２の外周面に摺動可能に接触している。なお、本実施形態において、摺動リング１０１の内側端面は、弁筒部８２の曲率半径に倣って形成された湾曲面とされている。
【０１０７】
シールリング１０３は、摺動リング１０１に外嵌されている。シールリング１０３の外周面は、ラジエータ流出口４１ｂの内周面に摺動可能に密接している。
付勢部材１０２は、摺動リング１０１のケース径方向における外側端面と、ラジエータジョイント４２と、の間に介在している。付勢部材１０２は、摺動リング１０１をケース径方向の内側に向けて（弁筒部８２に向けて）付勢している。
ホルダ１０４は、ケース径方向におけるシールリング１０３の外側であって、シールリング１０３の外周面と、ラジエータ流出口４１ｂの内周面と、の間に配置されている。ホルダ１０４は、シールリング１０３のケース径方向における外側への移動を規制する。
【０１０８】
なお、図９に示すように、上述した暖機流出口５６ａ及び空調流出口６６ａ内にも、ラジエータ流出口４１ｂ内に設けられたシール機構１００と同様の構成からなるシール機構１００が設けられている。本実施形態では、暖機流出口５６ａ及び空調流出口６６ａ内に設けられたシール機構１００は、ラジエータ流出口４１ｂ内に設けられたシール機構１００と同様の符号を付して説明を省略する。
【０１０９】
［制御装置］
図７に示すように、本実施形態の冷却システム１は、制御装置１０００によって制御バルブ８（ロータ２２）の動作を制御することで、流通路９１内と各流出口４１ｂ，５６ａ，６６ａとの連通及び遮断が切り替えられる。なお、以下の説明では、各流出口４１ｂ，５６ａ，６６ａや各連通口９５〜９７を区別する必要がない場合は、符号を付さずに単に流出口、連通口という場合がある。
【０１１０】
制御バルブ８には、制御装置１０００から制御信号１１００が入力される。制御信号１１００は、制御バルブ８の動作を制御するための信号である。制御バルブ８は、制御装置１０００から入力された制御信号１１００に従って各流出口の開度（流出口における連通口との連通面積）を変更する。流出口の開度は、流出口の開口面積の上限（最大開口面積）に対する開口の度合いを表す。流出口の開度は、最大開口面積を１００％とした場合の開口面積の割合（百分率）で表してもよい。
【０１１１】
制御装置１０００には、冷却水の水温を示す冷却水温信号１１１０が入力される。冷却水の水温は、メイン流路１０上であって冷却水がエンジン２を通過した場所に設けられた水温センサ（図示せず）によって計測される。冷却水温信号１１１０は、水温センサが計測した冷却水の水温を示す。
【０１１２】
制御装置１０００には、エンジン２のエンジン運転状態を示すエンジン運転状態信号１１２０が入力される。エンジン運転状態信号１１２０としては、エンジン２の回転速度を示す信号やエンジン２の負荷を示す信号、エンジン２のスロットル開度を示す信号及びエンジン２の吸気温度を示す信号等がある。
【０１１３】
図２に示されるように制御装置１０００は、開度スケジュールデータ格納部１００１と、開度制御部１００２と、規定値設定部１００３と、を備える。
【０１１４】
開度スケジュールデータ格納部１００１は、開度スケジュールを示す開度スケジュールデータを格納する。開度スケジュールは、制御バルブ８のラジエータ流出口４１ｂ、暖機流出口５６ａ及び空調流出口６６ａの開度のスケジュールである。開度スケジュールは、制御バルブ８のラジエータ流出口４１ｂ、暖機流出口５６ａ及び空調流出口６６ａの開度を定めたモードとして、少なくともヒータカットモードとヒータ通水モードと全閉モードと切替モードとを備える。
【０１１５】
ヒータカットモードは、空調流出口６６ａを閉じた状態でラジエータ流出口４１ｂを開けるモードである。ヒータ通水モードは、空調流出口６６ａを開けた状態でラジエータ流出口４１ｂを開けるモードである。全閉モードは、暖機流出口５６ａとラジエータ流出口４１ｂと空調流出口６６ａとを全て閉じるモードである。切替モードは、ラジエータ流出口４１ｂ及び暖機流出口５６ａを開けた状態で、空調流出口６６ａの開閉を切り替えるモードである。
【０１１６】
図３には開度スケジュールの一例が示されている。
図３の横軸は制御バルブ８の動作範囲を示す。図３の縦軸は、各流出口の開度（０％から１００％まで）を示す。図３の（ａ）には、暖機流出口５６ａの開度が示されている。図３の（ｂ）には、空調流出口６６ａの開度が示されている。図３の（ｃ）には、ラジエータ流出口４１ｂの開度が示されている。
【０１１７】
制御バルブ８の動作範囲は、９個の領域Ａ，Ｂ，Ｃ，Ｄ，Ｅ，Ｆ，Ｇ，Ｈ，Ｉに区分されている。図３中の隣り合う領域間では、相互に領域を移行できる。本実施形態のロータ２２は、回転センサによってモータの回転量を検出することで、正転方向及び逆転方向の双方向に３６０°回転可能に構成されている。
【０１１８】
全閉モードは領域Ａのみで構成される。領域Ａでは、暖機流出口５６ａと空調流出口６６ａとラジエータ流出口４１ｂとの全ての開度が０％になる。
ヒータ通水モードは、４個の領域Ｂ，Ｃ，Ｄ，Ｅから構成される。領域Ｂでは、暖機流出口５６ａとラジエータ流出口４１ｂの開度が０％のままで、空調流出口６６ａの開度が０％から１００％までの範囲で変化する。領域Ｃでは、ラジエータ流出口４１ｂの開度が０％且つ空調流出口６６ａの開度が１００％のままで、暖機流出口５６ａの開度が０％から１００％までの範囲で変化する。領域Ｄでは、空調流出口６６ａの開度が１００％のままで、暖機流出口５６ａの開度が１００％から０％までの範囲で変化し、ラジエータ流出口４１ｂの開度が０％から約８０％までの範囲で変化する。領域Ｅでは、空調流出口６６ａの開度が１００％のままで、暖機流出口５６ａの開度が０％から１００％までの範囲で変化し、ラジエータ流出口４１ｂの開度が約８０％から１００％までの範囲で変化する。
【０１１９】
切替モードは、領域Ｉのみで構成される。領域Ｉでは、暖機流出口５６ａとラジエータ流出口４１ｂの開度が１００％のままで、空調流出口６６ａの開度が１００％から０％までの範囲で変化する。
【０１２０】
ヒータカットモードは、３個の領域Ｈ，Ｇ，Ｆから構成される。領域Ｈでは、空調流出口６６ａの開度が０％のままで、暖機流出口５６ａの開度が１００％から０％までの範囲で変化し、ラジエータ流出口４１ｂの開度が１００％から約８０％までの範囲で変化する。領域Ｇでは、空調流出口６６ａの開度が０％のままで、暖機流出口５６ａの開度が０％から１００％までの範囲で変化し、ラジエータ流出口４１ｂの開度が約８０％から０％までの範囲で変化する。領域Ｆでは、空調流出口６６ａとラジエータ流出口４１ｂの開度が０％のままで、暖機流出口５６ａの開度が１００％から０％までの範囲で変化する。
【０１２１】
説明を図２に戻す。
開度制御部１００２は、開度スケジュールデータ格納部１００１に格納されている開度スケジュールデータが示す開度スケジュールを使用して、制御バルブ８のラジエータ流出口４１ｂ、暖機流出口５６ａ及び空調流出口６６ａの開度を制御する。開度制御部１００２は、制御バルブ８のラジエータ流出口４１ｂ、暖機流出口５６ａ及び空調流出口６６ａの開度を指示する制御信号１１００を生成する。制御信号１１００が制御装置１０００から制御バルブ８に入力されることによって、制御バルブ８のラジエータ流出口４１ｂ、暖機流出口５６ａ及び空調流出口６６ａの開度が制御される。
【０１２２】
開度制御部１００２は、冷却水の水温（冷却水温）の規定値と、冷却水温信号１１１０が示す冷却水温と、に基づいて、ヒータカットモード（第２位置）とヒータ通水モード（第１位置）との切替を、全閉モード（第４位置）を経由して行うか又は切替モード（第３位置）を経由して行うかを判断する。
【０１２３】
規定値設定部１００３は、冷却水温の規定値を設定する。冷却水温の規定値は、任意に設定できるようにしてもよく、又は、固定的に設定されるようにしてもよい。本実施形態の一例として、規定値設定部１００３は、冷却水温の規定値の候補として複数個の候補値を保持する。冷却水温の規定値の候補値として、例えば、８５℃、９０℃及び９５℃の３個の候補値を使用する。各候補値には、当該候補値を適用するエンジン運転状態を定めておく。規定値設定部１００３は、各候補値が適用されるエンジン運転状態を示すデータを保持する。規定値設定部１００３は、エンジン運転状態信号１１２０が示すエンジン運転状態に対応する候補値を冷却水温の規定値の設定値として保持する。規定値設定部１００３は、エンジン運転状態信号１１２０が示すエンジン運転状態の変化に応じて、冷却水温の規定値に設定する候補値を変更する。
【０１２４】
制御装置１０００は、専用のハードウェアにより実現されるものであってもよく、又は、ＥＣＵ（Engine Control Unit：エンジンコントロールユニット）及びメモリ等により構成され、図２の各部の機能を実現するためのコンピュータプログラムをＥＣＵが実行することによりその機能を実現させるものであってもよい。
【０１２５】
このように、本実施形態の制御バルブ８は、図１１、図３に示すように、上述した開度スケジュールを満足させるように、各流出口と、各流出口に対応する連通口と、の位置が設定されている。この場合、例えば領域Ｉの切替モードにおいて、ラジエータ流出口４１ｂ及び流通路９１間、暖機流出口５６ａ及び流通路９１間、並びに空調流出口６６ａ及び流通路９１間がそれぞれ連通するように弁筒部８２の各連通口が設定されている。特に、本実施形態では、切替モードにおいて、ロータ２２の回転により空調流出口６６ａの開度が変化する一方で、ラジエータ流出口４１ｂがラジエータ連通口９５の全てに重なり、暖機流出口５６ａが暖機連通口９６の全てに重なっている（開度が１００％）。
但し、ラジエータ流出口４１ｂ及び暖機流出口５６ａは、切替モードにおいて、少なくともラジエータ流出口４１ｂが流通路９１に連通していればよい。また、ラジエータ流出口４１ｂ及び暖機流出口５６ａは、切替モードにおいて、全開状態である必要はなく、少なくとも一部が流通路９１に連通していればよい。
【０１２６】
本実施形態の制御バルブ８は、領域Ａの全閉モードにおいて、ラジエータ流出口４１ｂ、暖機流出口５６ａ及び空調流出口６６ａの全ての流出口と、流通路９１と、の連通が遮断されるように弁筒部８２の各連通口が設定されている。
【０１２７】
［制御バルブの動作方法］
次に、上述した制御バルブ８の動作方法を説明する。
図７に示すように、メイン流路１０において、ウォータポンプ３により送出される冷却水は、エンジン２で熱交換された後、制御バルブ８に向けて流通する。図１０に示すように、メイン流路１０においてエンジン２を通過した冷却水は、流入口３７ａを通してケーシング２１内の接続流路９２内に流入する。
【０１２８】
接続流路９２内に流入した冷却水のうち、一部の冷却水はＥＧＲ流出口５１内に流入する。ＥＧＲ流出口５１内に流入した冷却水は、ＥＧＲジョイント５２を通ってＥＧＲ流路１４内に供給される。ＥＧＲ流路１４内に供給された冷却水は、ＥＧＲクーラ７において、冷却水とＥＧＲガスとの熱交換が行われた後、メイン流路１０に戻される。
【０１２９】
一方、接続流路９２内に流入した冷却水のうち、ＥＧＲ流出口５１内に流入しなかった冷却水は、ケース軸方向の第２側から流通路９１内に流入する。流通路９１内に流入した冷却水は、流通路９１内をケース軸方向に流通する過程で各流出口に分配される。すなわち、流通路９１内に流入する冷却水は、各流出口のうち連通口に連通している流出口を通して各流路１１〜１３に分配される。
【０１３０】
制御バルブ８において、流出口と連通口との開度スケジュールを切り替えるには、ロータ２２を軸線Ｏ１回りに回転させる。これにより、ロータ２２の回転位置に応じて流出口と連通口との連通及び遮断が切り替えられる。
【０１３１】
［制御バルブの制御方法］
図４を参照して制御バルブ８の制御方法を説明する。ここでは、開度スケジュールとして、図３に示される開度スケジュールを例にして制御バルブ８の制御方法を説明する。
【０１３２】
（ステップＳ１）  制御装置１０００は暖房要求の有無を判断する。暖房要求の有無を示す信号は、冷却システム１が搭載された車両の操作部（図示せず）から制御装置１０００に入力される。暖房要求がある場合にはステップＳ２に進み、そうではない場合にはステップＳ９に進む。
【０１３３】
（ステップＳ２）  開度制御部１００２は、ヒータ通水モードを選択する。
【０１３４】
（ステップＳ３）  開度制御部１００２は、図３に示される開度スケジュールの５個の領域Ａ，Ｂ，Ｃ，Ｄ，Ｅの範囲内で制御バルブ８のラジエータ流出口４１ｂ、暖機流出口５６ａ及び空調流出口６６ａの開度を変更し、冷却水温を所定の範囲内に収める制御を行う。なお、図４の例では、ヒータ通水モードを選択した場合、ヒータ通水モードと全閉モードを使用している。
【０１３５】
（ステップＳ４）  制御装置１０００は暖房要求の有無を判断する。暖房要求がある場合にはステップＳ３に戻り、そうではない場合にはステップＳ５に進む。
【０１３６】
（ステップＳ５）  規定値設定部１００３は、エンジン運転状態信号１１２０が示すエンジン運転状態に対応する冷却水温の規定値を設定する。
【０１３７】
（ステップＳ６）  開度制御部１００２は、冷却水温の規定値と、冷却水温信号１１１０が示す冷却水温と、を比較する。この比較の結果、冷却水温信号１１１０が示す冷却水温が規定値以下である場合にはステップＳ７に進み、そうではない場合にはステップＳ８に進む。
【０１３８】
（ステップＳ７）  開度制御部１００２は、ヒータ通水モードの領域Ｂから全閉モードの領域Ａを経由してヒータカットモードの領域Ｆへの移行を行う。領域Ａを経由する場合、ロータ２２が例えば正転方向に回転することで、ラジエータ連通口９５がラジエータ流出口４１ｂを通過せず、また暖機連通口９６が暖機流出口５６ａを通過せずに空調流出口６６ａと空調連通口９７との連通が遮断される。したがって、ヒータ通水モードからヒータカットモードへ移行する途中で、一旦、暖機流出口５６ａとラジエータ流出口４１ｂと空調流出口６６ａとが全て閉じられる。このように、冷却水温信号１１１０が示す冷却水温が規定値以下である場合には、冷却水をラジエータ４に通水しないことにより、冷却水の温度低下を回避してエンジン２の燃費の低下を抑制する効果が得られる。
【０１３９】
（ステップＳ８）  開度制御部１００２は、ヒータ通水モードの領域Ｅから切替モードの領域Ｉを経由してヒータカットモードの領域Ｈへの移行を行う。領域Ｉを経由する場合、ロータ２２が例えば逆転方向に回転することで、ラジエータ連通口９５を通じてラジエータ流出口４１ｂが流通路９１に連通し、また暖機連通口９６を通じて暖機流出口５６ａが流通路９１に連通した状態で、空調流出口６６ａと空調連通口９７との連通が遮断される。したがって、ヒータ通水モードからヒータカットモードへ移行する途中で、暖機流出口５６ａとラジエータ流出口４１ｂの開度が１００％のままで、空調流出口６６ａの開度が１００％から０％へ変更される。このように、冷却水温信号１１１０が示す冷却水温が規定値を超過である場合には、冷却水をラジエータ４に通水することにより冷却水の沸騰を抑制しながら、迅速に、ヒータ通水モードからヒータカットモードへ移行することができる。
【０１４０】
（ステップＳ９）  開度制御部１００２は、ヒータカットモードを選択する。
【０１４１】
（ステップＳ１０）  開度制御部１００２は、図３に示される開度スケジュールの４個の領域Ａ，Ｆ，Ｇ，Ｈの範囲内で制御バルブ８のラジエータ流出口４１ｂ、暖機流出口５６ａ及び空調流出口６６ａの開度を変更し、冷却水温を所定の範囲内に収める制御を行う。なお、図４の例では、ヒータカットモードを選択した場合、ヒータカットモードと全閉モードを使用している。
【０１４２】
（ステップＳ１１）  制御装置１０００は暖房要求の有無を判断する。暖房要求がある場合にはステップＳ１２に進み、そうではない場合にはステップＳ１０に戻る。
【０１４３】
（ステップＳ１２）  規定値設定部１００３は、エンジン運転状態信号１１２０が示すエンジン運転状態に対応する冷却水温の規定値を設定する。
【０１４４】
（ステップＳ１３）  開度制御部１００２は、冷却水温の規定値と、冷却水温信号１１１０が示す冷却水温とを比較する。この比較の結果、冷却水温信号１１１０が示す冷却水温が規定値以下である場合にはステップＳ１４に進み、そうではない場合にはステップＳ１５に進む。
【０１４５】
（ステップＳ１４）  開度制御部１００２は、ヒータカットモードの領域Ｆから全閉モードの領域Ａを経由してヒータ通水モードの領域Ｂへの移行を行う。したがって、ヒータカットモードからヒータ通水モードへ移行する途中で、一旦、暖機流出口５６ａとラジエータ流出口４１ｂと空調流出口６６ａとが全て閉じられる。このように、冷却水温信号１１１０が示す冷却水温が規定値以下である場合には、冷却水をラジエータ４に通水しないことにより、冷却水の温度低下を回避してエンジン２の燃費の低下を防止する効果が得られる。
【０１４６】
（ステップＳ１５）  開度制御部１００２は、ヒータカットモードの領域Ｈから切替モードの領域Ｉを経由してヒータ通水モードの領域Ｅへの移行を行う。したがって、ヒータカットモードからヒータ通水モードへ移行する途中で、暖機流出口５６ａとラジエータ流出口４１ｂの開度が１００％のままで、空調流出口６６ａの開度が０％から１００％へ変更される。このように、冷却水温信号１１１０が示す冷却水温が規定値を超過である場合には、冷却水をラジエータ４に通水することにより冷却水の沸騰を防ぎながら、迅速に、ヒータカットモードからヒータ通水モードへ移行することができる。これにより、冷却水温が規定値を超過の場合に利用者が暖房を要求する操作を行っても、迅速に、ヒータコアにより暖房を開始することができるので、利用者の便宜の向上に貢献できる。
【０１４７】
このように、本実施形態では、切替モードにおいて、ラジエータ流出口４１ｂと流通路９１とが連通するとともに、空調流出口６６ａと流通路９１とが連通するように弁筒部８２の各連通口９５，９７が設定されている構成とした。
この構成によれば、ヒータ通水モードとヒータカットモードとの間を移行する際に、ラジエータ４に冷却水を流通させることができる。これにより、冷却水温が規定値よりも高い場合に、冷却水の沸騰を抑制しながら、迅速にヒータ通水モードとヒータカットモードとの切替を行うことができる。これにより、ヒータカットモードとヒータ通水モードとの切替にかかる時間を短縮することができる。
【０１４８】
本実施形態では、全閉モードにおいて、ラジエータ流出口４１ｂ、暖機流出口５６ａ及び空調流出口６６ａの全ての流出口と、流通路９１と、の連通が遮断されるように弁筒部８２の各連通口９５〜９７が設定されている構成とした。
この構成によれば、ヒータ通水モードとヒータカットモードとの間を移行する際に、ラジエータ４に冷却水を流通させないようにすることができる。これにより、冷却水温が規定値以下である場合に、冷却水の温度低下を回避できるので、エンジン２の高水温制御を維持し易くなり、エンジン２の燃費の低下を抑制できる。
しかも、本実施形態では、ヒータ通水モードとヒータカットモードの移行時において、ロータ２２の正逆回転を切り替えることで、全閉モード及び切替モードを選択できる。これにより、全閉モード及び切替モードの何れかのみを通過させてヒータ通水モードとヒータカットモードとの切替を行うことができる。
【０１４９】
本実施形態では、切替モードにおいて、暖機流出口５６ａと流通路９１とが連通するとともに、空調流出口６６ａと流通路９１とが連通するように、弁筒部８２の各連通口９６，９７が設定されている構成とした。
この構成によれば、ラジエータ流出口４１ｂに加えて暖機流出口５６ａが流通路９１に連通する。そのため、切替モードにおいて、ヒートエクスチェンジャ５をオイルウォーマとして利用することで、冷却水の温度を低下させることができる。これにより、ヒータカットモードとヒータ通水モードとの切替にかかる時間を短縮することができる。
【０１５０】
本実施形態では、ラジエータ流出口４１ｂ及び暖機流出口５６ａが、切替モードにおいて、全開状態である構成とした。
この構成によれば、ラジエータ４やヒートエクスチェンジャ５に多くの冷却水を流通させることができる。これにより、冷却水の温度を速やかに低下させることができる。
【０１５１】
なお、上述した実施形態では、制御バルブ８がエンジン２の冷却システム１に搭載された構成について説明したが、この構成のみに限らず、その他のシステムに搭載しても構わない。
上述した実施形態では、制御バルブ８に流入した冷却水を、ラジエータ流路１１、暖機流路１２、空調流路１３及びＥＧＲ流路１４に分配する構成について説明したが、この構成のみに限られない。制御バルブ８は、制御バルブ８内に流入する冷却水を少なくともラジエータ流路１１及び暖機流路１２に分配する構成であってもよい。
上述した実施形態では、ラジエータ流出口４１ｂ及び空調流出口６６ａを長孔に形成した場合について説明したが、この構成のみに限られない。すなわち、切替モードにおいて、ラジエータ流出口４１ｂが流通路９１に連通し、空調流出口６６ａが流通路９１に連通していれば各流出口の形状やレイアウト等は適宜変更が可能である。
【０１５２】
上述した実施形態では、例えば流入口、各連通口及び各流出口が弁筒部８２及びケーシング２１をそれぞれケース径方向に貫通している構成について説明したが、この構成のみに限られない。例えば各連通口及び各流出口は、弁筒部８２及びケーシング２１をそれぞれケース軸方向に貫通していても構わない。
【０１５３】
上述した実施形態では、本発明に係る弁（ロータ２２）が軸線Ｏ１回りに回転する構成について説明したが、この構成のみに限られない。例えば、弁はケース軸方向に移動する構成であってもよい。
【０１５４】
上述した実施形態では、ロータ２２（弁筒部８２）及びケーシング２１（周壁部３１）をそれぞれ円筒状（ケース軸方向の全体に亘って一様な径）に形成した場合について説明したが、この構成に限られない。すなわち、弁筒部８２が周壁部３１内を回転可能な構成であれば、弁筒部８２の外径及び周壁部３１の内径をケース軸方向で変化させてもよい。この場合、弁筒部８２及び周壁部３１は、例えば球状（ケース軸方向の中央部から両端部に向かうに従い径が縮小する形状）や、鞍型（ケース軸方向の中央部から両端部に向かうに従い径が拡大する形状）や、球状や鞍型がケース軸方向に複数連なった形状等の三次曲面を有する形状や、テーパ状（ケース軸方向の第１側から第２側にかけて漸次径が変化する形状）や、階段状（ケース軸方向の第１側から第２側にかけて段々と径が変化する形状）等、種々の形状を採用することが可能である。
【０１５５】
上述した実施形態では、本発明に係るロータ２２として、軸方向の両側に開口部を有する弁筒部８２を例にして説明したが、この構成のみに限られない。ロータ２２は、ケーシング２１内で回転可能とされ、かつ内外を連通させる弁孔が形成された構成であれば、ケース軸方向の少なくとも一方が閉塞された中空回転体としてもよい。この場合、中空回転体は、球状や半球状等を採用することが可能である。
【０１５６】
なお、上述した第３実施形態に係る制御バルブ８に対して、第２実施形態の開度スケジュール及び制御バルブの制御方法を適用してもよい。例えば図５に示される開度スケジュールを、第３実施形態に係る制御バルブ８に適用する場合には、当該制御バルブ８において、図５に示される開度スケジュールを満足させるように、各流出口と、各流出口に対応する連通口と、の位置を設定すればよい。
【０１５７】
以上、本発明の実施形態について図面を参照して詳述してきたが、具体的な構成はこの実施形態に限られるものではなく、本発明の要旨を逸脱しない範囲の設計変更等も含まれる。
【符号の説明】
【０１５８】
１，１ａ…冷却システム
２…エンジン
４…ラジエータ
５…ヒートエクスチェンジャ
６…ヒータコア
８，８ａ…制御バルブ
１０…メイン流路（冷却流路）
１１…ラジエータ流路
１２…暖機流路（バイパス流路）
１３…空調流路
２１…ケーシング
２２…ロータ
４１ｂ…ラジエータ流出口
５６ａ…暖機流出口
６６ａ…空調流出口
９５…ラジエータ連通口
９６…暖機連通口
９７…空調連通口
１０００…制御装置
１００１…開度スケジュールデータ格納部
１００２…開度制御部
１００３…規定値設定部
【図１】
2019173744.tif 000003
【図２】
2019173744.tif 000004
【図３】
2019173744.tif 000005
【図４】
2019173744.tif 000006
【図５】
2019173744.tif 000007
【図６】
2019173744.tif 000008
【図７】
2019173744.tif 000009
【図８】
2019173744.tif 000010
【図９】
2019173744.tif 000011
【図１０】
2019173744.tif 000012
【図１１】
2019173744.tif 000013